(57)【特許請求の範囲】
【請求項１】
後桟枠の一端に直角に、分割された複数の部分側桟枠を連設すると共に、後桟枠の他端に直角に、上記複数の部分側桟枠と同じ大きさの側桟枠を設け、且つ上記連設した部分側桟枠の前端と、側桟枠の前端に、上部桟枠と下部桟枠からなる上下方向に２つ折り又は２分割可能な前桟枠を着脱自在に横設し、上記後桟枠、複数の部分側桟枠、側桟枠及び前桟枠による囲撓枠を形成し、この囲撓枠の内側中間部にベッド用底板を着脱自在に設け、更に囲撓枠の内側底部に複数の収納用底板を着脱自在に並設してベビーベッドを構成できるようにし、更にこのベビーベッドから上記前桟枠と、収納用底板と、ベッド用底板と、前桟枠側の部分側桟枠、及び側桟枠を一旦除去し、上記後桟枠に残した部分側桟枠と対峙するようにして後桟枠の他端に除去した部分側桟枠を設け、且つこの両部分側桟枠の前端に、除去した上記前桟枠を横設すると共にこの前桟枠の上部桟枠を除去又は上部桟枠を下部桟枠側に垂らし、更に上部桟枠の上部で、上記後桟枠と複数の部分側桟枠で形成される桟枠の内側中間部に除去した上記収納用底板を内設してベンチを構成できるようにし、更にこのベンチの上部内側に除去した別の収納用底板を設けてラックを構成できるようにしたことを特徴とする他用途組み換え可能なベビーベッド。
【請求項２】
ベビーベッド、ベンチ又はラックの底部に複数のキャスターを設けて、上記ベビーベッド、ベンチ又はラックを転動させて移動できるようにした請求項１に記載の他用途に組み換えできるベビーベッド。
【発明の詳細な説明】
【０００１】
【産業上の利用分野】
本発明は他の用途に再利用可能な他用途に組み換えできるベビーベッドに関するものである。
【０００２】
【従来の技術】
従来からベビーベッドにも各種のものがあり、乳児を寝かせておくのに使用されている。そして乳児期を過ぎてベビーベッドが不要になると、各家庭では分解して押入れ等に保管しているのが現状である。
【０００３】
【発明が解決しようとする課題】
ところが、ベビーベッドは分解しても嵩ばるものであり、押入れや物置等に保管するにも、その収納に苦慮しているのが現状であり、この不要になったベビーベッドを再利用できないものかと考えられていた。
【０００４】
本発明は上記のような点に鑑みて開発されたものであり、その目的とするところは、通常はベビーベッドとして使用し、ベビーベッドが不要になったときには、誰にでも簡単に組み換えしてベンチやラックとして再利用できるようにした他用途に組み換えできるベビーベッドを提供することにある。
【０００５】
【課題を解決するための手段】
そこで、本発明は上記目的を達成するために、次のような構成にしてある。すなわち、後桟枠の一端に直角に、分割された複数の部分側桟枠を連設すると共に、後桟枠の他端に直角に、上記複数の部分側桟枠と同じ大きさの側桟枠を設け、且つ上記連設した部分側桟枠の前端と、側桟枠の前端に、上部桟枠と下部桟枠からなる上下方向に２つ折り又は２分割可能な前桟枠を着脱自在に横設し、上記後桟枠、複数の部分側桟枠、側桟枠及び前桟枠による囲撓枠を形成し、この囲撓枠の内側中間部にベッド用底板を着脱自在に設け、更に囲撓枠の内側底部に複数の収納用底板を着脱自在に並設してベビーベッドを構成できるようにし、更にこのベビーベッドから上記前桟枠と、収納用底板と、ベッド用底板と、前桟枠側の部分側桟枠、及び側桟枠を一旦除去し、上記後桟枠に残した部分側桟枠と対峙するようにして後桟枠の他端に除去した部分側桟枠を設け、且つこの両部分側桟枠の前端に、除去した上記前桟枠を横設すると共にこの前桟枠の上部桟枠を除去又は上部桟枠を下部桟枠側に垂らし、更に上部桟枠の上部で、上記後桟枠と複数の部分側桟枠で形成される桟枠の内側中間部に除去した上記収納用底板を内設してベンチを構成できるようにし、更にこのベンチの上部内側に除去した別の収納用底板を設けてラックを構成できるようにしてある。
【０００６】
また、ベビーベッド、ベンチ又はラックの底部に複数のキャスターを設けて、上記ベビーベッド、ベンチ又はラックを転動させて移動できるようにした上記請求項１に記載の他用途に組み換えできるベビーベッドの構成である。
【０００７】
【作用】
上記のような請求項１に記載の構成では、通常はベッド内のベッド用底板の部分に乳児を寝かせる。また、乳児が大きくなり、このベビーベッドが不要になった時には、ベビーベッドを構成する上記前桟枠と、収納用底板と、ベッド用底板と、前桟枠側の部分側桟枠、及び側桟枠を一旦除去してベビーベッドを分解する。
【０００８】
そして後桟枠に残した部分側桟枠と対峙するようにして後桟枠の他端に除去した部分側桟枠を設けると共に，このこの両部分側桟枠の前端に除去した前桟枠を横設する。その後、この前桟枠の上部桟枠を除去又は上部桟枠を下部桟枠側に垂らし、上記後桟枠と複数の部分側桟枠で形成される桟枠の内側中間部で、下部桟枠の上端に位置する箇所に除去した上記収納用底板を内設してベンチを形成する。この下部桟枠の上端に設けた収納用底板が腰掛け板となり、後桟枠は背もたれ、両側の部分側桟枠と肘掛けなり、ベビーベッドを簡単に分解、再組み立てしてベンチとして使用することができる。
【０００９】
更に、上記のようにして組み換えた上記ベンチの上部内側に除去した別の収納用底板を設けることによってラックを形成することができる。このようにしてラックを形成することにより、所定間隔を以て上下に設けた収納用底板に本や日常雑貨品等を置くことにより、ラックとして日常雑貨品等を整理整頓することができる。尚、前記ベビーベッドから直接、ラックに組み換えてもよい。
【００１０】
また、キャスターを上記ベビーベッドや、ベンチ又はラックに設けることによって、簡単に移動させることができる。
【００１１】
【実施例】
以下、本発明に係る実施例を図に基づいて説明する。
図１〜図５は本発明に係る一実施例を示す図であって、図１は本発明に係る一実施例の他用途に組み換えできるベビーベッドの全体斜視図であり、図２は    ベビーベッドの左側面図、図３はベビーベッドの右側面図、図４はベビーベッドの正面図、図５はベビーベッドの背面図である。
【００１２】
このベビーベッド１は、後桟枠２、部分側桟枠３ａ、３ｂ、側桟枠４、前桟枠５、ベッド用底板６、収納用底板７ａ、７ｂ及びキャスター８によって構成され、ネジ（図示省略）によって連結組み立てられている。
【００１３】
すなわち、このベビーベッド１は、上記後桟枠２、部分側桟枠３ａ、３ｂ、側桟枠４、前桟枠５によって囲撓枠９を形成し、この囲撓枠９の内側中間部にベッド用底板６を設けると共に、囲撓枠９の内側底部に２枚の収納用底板７ａ、７ｂを並設し、更に囲撓枠９の下部四隅にキャスター８を設けてある。
【００１４】
上記後桟枠２は、長方形状の枠２ａの長手方向に所定間隔を以て多数の桟２ｂを並設したものである。また、上記両部分側桟枠３ａ、３ｂは同一の大きさ、形状のものであり、側桟枠４は上記２枚の部分側桟枠３ａ、３ｂを連設した長さ（奥行き寸法）と同一であり、形状も２枚の部分側桟枠３ａ、３ｂを連設した形状である。
【００１５】
また前桟枠５は、上記後桟枠２と同じ長さ、高さであって、ベビーベッド１を組み立てた時に後桟枠２と所定間隔を以て対峙し、上記部分側桟枠３ｂの前端と、側桟枠４の前端に横設されるものである。この前桟枠５は上部桟枠５ａと下部桟枠５ｂとからなり、上部桟枠５ａ及び下部桟枠５ｂの高さは、上記側桟枠４（及び部分側桟枠３ａ、３ｂ）のほぼ半分の高さである。
【００１６】
この上部桟枠５ａは、長方形状の枠５ｃの内側に長手方向に所定間隔を以て多数の桟部材５ｄを設けたものである。この上部桟枠５ａは蝶番１１を介して下方の下部桟枠５ｂに枢着してあり、上下方向に開閉できるようにしてある。
【００１７】
下部桟枠５ｂの中央部には開閉扉桟枠１２が設けられ、手前に引くことによって開き、任意に開閉できるようにしてある。
【００１８】
上記ベッド用底板６は、囲撓枠９の内周に隣接する矩形状の板部材である。尚、この底板６は強度的に丈夫であれば２枚以上の板部材を使用してもよい。
【００１９】
収納用底板７ａ、７ｂは、後桟枠２、２枚の部分側桟枠３ａ、３ｂ、側桟枠４及び前桟枠５の下部桟枠５ｂによって囲撓された枠の内側に配設される矩形状の２枚の板部材からなる。この収納用底板７ａ、７ｂは後述するベンチ７に組み換えた時、ベンチシート部分となるため、上面に弾性部材を設けたものにするのが好ましい。また、囲撓枠９の四隅の下端にはキャスター８が設けられ、ベビーベッド１を簡単に移動させることができるようにしてある。
【００２０】
尚、上記したベビーベッド１を構成する各部材は、ネジ（図示省略）によって接続され、ネジを外すことによって簡単に分解できるようにしてある。
【００２１】
上述のような構成からなるベビーベッド１にあっては、通常はベッドとしてベッド用底板６上に布団等を敷き、その上に乳児を寝かせる。またベッド用底板６の下方の収納用底板７ａ、７ｂ上には、開閉扉桟枠１２を開けて肌着や小物等の日常雑貨品を収納することができる。
【００２２】
上記のベビーベッド１が不要になった時には、このベビーベッド１を一旦分解した後、図６に示すようなベンチ１３に組み換えて再利用することができる。
すなわち、図１に示すベビーベッド１からベッド用底板６と、一方の部分側桟枠３ｂと、側桟枠４と、前桟枠５と、２枚の収納用底板７ａ、７ｂ及び各キャスター８を一旦除去し、後桟枠２に残した部分側桟枠３ａと対峙するようにして除去した上記部分側桟枠３ｂを、この後桟枠２に設ける。更にこの両部分側桟枠３ａ、３ｂの前端に除去した上記前桟枠５を横設し、上部桟枠５ａを蝶番１１の部分から折って下部桟枠５ｂ側に垂らす。更に下部桟枠５ｂの上端位置に除去した収納用底板７ａを設けて腰掛け板とする。またこの収納用底板７ａの上側の後桟枠２部分に、もう一方の収納用底板７ｂを配設して背もたれ板７ｃ（仮想線で描いた部分）とする。勿論、収納用底板７を背持たれ板として設けなくともよい。
【００２３】
上述のようにしてベビーベッド１をベンチ１３とすることにより、腰掛け部分の収納用底板７ａに座蒲団やクッション等を載せて腰をかけることにより、不要と成ったベビーベッド１もベンチ１３として再利用することができる。
【００２４】
また、上記のベビーベッド１をラック１４に組み換えることもできる。すなわち、図７に示すように除去したもう一方の収納用底板７ｂを、ベンチ１３の上部内側に図示のようにネジ（図示省略）で固定することにより、２段のラック１４を簡単に形成することができる。
【００２５】
尚、上記のベンチ１３やラック１４の四すみ下端にキャスターを設け、軽く押すことによって動かすことができるようにしてもよい。
【００２６】
【発明の効果】
以上、上記説明でも明らかなように、本発明の請求項１に記載の他用途組み換え可能なベビーベッドでは、通常はベビーベッドとしてベッド用底板に敷ふとん等を敷いて乳児を寝かせる。
【００２７】
また、このベビーベッドが不要になった時には、このベッドを分解し、必要な部材を組み立ててベンチとすることにより、不要になったベビーベッドを簡単に組み換えてベンチとして利用することができる。
【００２８】
また、ベビーベッドをベンチとして組み換えた後に、このベンチの内側上部に収納用底板を設けることによってラックとして使用することができ、各種の雑誌や書籍、小物雑貨の整理棚として非常に便利である。
【００２９】
また、キャスターを上記ベビーベッドや、ベンチ又はラックに設けることによって、簡単に移動させることができる。
【図面の簡単な説明】
【図１】本発明に係る一実施例のベビーベッドの斜視図である。
【図２】本発明に係る一実施例の左側面図である。
【図３】本発明に係る一実施例の右側面図である。
【図４】本発明に係る一実施例の正面図である。
【図５】本発明に係る一実施例の背面図である。
【図６】本発明に係る一実施例のベビーベッドを組み換えてベンチとした斜視図である。
【図７】本発明に係る一実施例のベビーベッドを組み換えてハンガーラックとした斜視図である。
【符号の説明】
１  ベビーベッド
２  後桟枠
３ａ  側桟枠
３ｂ  側桟枠
４  側桟枠
５  前桟枠
６  ベッド用底板
７ａ収納用底板
７ｂ収納用底板
８  キャスター
９  囲撓枠
１３  ベンチ
１４  ラック
【図１】
0003608628.tif 000002
【図２】
0003608628.tif 000003
【図３】
0003608628.tif 000004
【図４】
0003608628.tif 000005
【図５】
0003608628.tif 000006
【図６】
0003608628.tif 000007
【図７】
0003608628.tif 000008